【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
ペダルハウジングと、
前記ペダルハウジング内に延びる前記ペダルハウジングに対して回転することができる遠位端と、踏板を有する近位端を含む回転ペダルと、
前記ペダルの踏板の下に配置されて取り付けられる振動発生機構であって、該振動発生機構は、電動モータと、該モータに接続される偏心体と、を含み、該偏心体は、前記モータに対して回転して、前記踏板に伝達される振動を発生させるように適合された、該振動発生機構と、
前記ペダルの踏板の下に配置されて取り付けられるターミナルケーブル機構であって、該ターミナルケーブル機構は、ターミナルと、複合ターミナルケーブルブラケットと、前記ケーブルブラケットから延出する長尺ケーブルを含み、前記ターミナルは、前記モータと接続にするように適合してされている、該ターミナルケーブル機構と
を有する能動振動車両ペダル機構。
【請求項２】
前記ペダルは、前記ペダルの前記踏板の下の空洞を画定する裏面を含み、
前記ターミナルケーブル機構は、前記ペダルの前記空洞内に取り付けられた前記複合ターミナルケーブルブラケットを含み、
前記ケーブルは、前記ペダルの前記裏面に画定されるスロット内を延びている、請求項１に記載の能動振動車両ペダル機構。
【請求項３】
ペダルハウジングと、
前記ペダルハウジング内に突出して、前記ペダルハウジングに対して回転することができる第１端部を含むペダルであって、該ペダルが、踏板を含む第２端部と、空洞を前記踏板の下に画定する複数の壁を含む裏面と、を含む、前記ペダルと、
前記踏板の下の前記空洞内に取り付けられ、かつ電動モータと、偏心体と、を含む振動発生機構であって、前記偏心体が、前記モータに接続されて前記モータに対して回転し、かつ前記踏板に伝達される振動を発生させるように適合された、前記振動発生機構と、
ターミナルペアと、複合ターミナルケーブルブラケットと、長尺ケーブルを含むモータターミナルケーブル機構であって、前記ターミナルペアは、前記モータに接続され、かつ、前記ペダルの前記裏面に画定される前記空洞内で延在しており、前記複合ターミナルケーブルブラケットが、前記ペダルの前記裏面に画定される前記空洞内に取り付けられ、前記長尺ケーブルが、前記複合ターミナルケーブルブラケットから延出して、前記ペダルの前記裏面に画定される長尺スロットの内部に突出する、前記モータターミナルケーブル機構と、
前記ペダルの前記裏面にそれぞれ設けられる前記複数の壁に接続される複数壁を含み、かつ前記電動モータ、前記偏心体、前記ターミナルペア、及び前記複合ターミナルケーブルブラケットを被覆するカバーと、
を備える、能動振動ペダル機構。
【請求項４】
前記複合ターミナルケーブルブラケットはスロットを画定し、前記ペダルは、前記ペダルの前記裏面に画定される前記空洞内に配置される部分壁を含み、該部分壁は、前記複合ターミナルケーブルブラケットの前記スロットの内部に突出して、前記複合ターミナルケーブルブラケットを前記ペダルに取り付ける、請求項３に記載の能動振動ペダル機構。
【請求項５】
前記カバーの前記複数壁は、前記モータに接触する内部リブを含み、該内部リブは、前記偏心体から発生する振動を前記ペダルに、前記カバーの前記複数壁、及び前記ペダルの前記複数の壁を介して伝達することができるように適合されている、請求項３に記載の能動振動ペダル機構。
【請求項６】
前記カバーの前記複数壁または前記ペダルの前記複数の壁のうちの一方の壁はタブを含み、前記カバーの前記複数壁または前記ペダルの前記複数の壁のうちの他方の壁は孔を含み、前記タブは、前記孔の内部に突出して、前記カバーを前記ペダルにスナップ嵌合させる、請求項３に記載の能動振動ペダル機構。
【請求項７】
凹部が、前記ペダルの前記裏面に画定され、前記凹部は、前記長尺スロット内に配置され、前記ケーブルは、前記スロットの前記凹部内に保持される、請求項３に記載の能動振動ペダル機構。
【手続補正２】
【補正対象書類名】明細書
【補正対象項目名】００８０
【補正方法】変更
【補正の内容】
【００８０】
上に記載される種々実施形態の多数の変更及び変形は、本発明の新規な特徴の思想及び範囲から逸脱しない限り行なうことができる。本明細書において例示される特定の能動振動ペダル機構に対する限定は全くないか、または全くないことが推定されるべきであることを理解されたい。勿論、全てのこのような変形は、添付の請求項に、これらの請求項の範囲に属するものとして包含される。
下記は、出願当初に記載の発明である。
＜請求項１＞
裏面を有する踏板を含むペダルと、
前記踏板の裏面に配置され、かつ前記踏板の振動運動、及び車両事象の発生を表わす知覚信号を発生させるように適合させた手段と、を備える能動振動ペダル機構。
＜請求項２＞
前記振動運動を発生させるように適合させた前記手段は、前記ペダルに一体化され、かつモータを含む振動発生機構と、前記モータに接続され、かつ前記モータが作動すると回転して、前記ペダルの前記踏板に伝達される振動を発生させるように適合させた偏心体と、を備える、請求項１に記載の能動振動ペダル機構。
＜請求項３＞
前記モータは電動モータである、請求項２に記載の能動振動ペダル機構。
＜請求項４＞
モータパワーケーブルが、前記電動モータから前記ペダルの前記裏面に沿って延在する、請求項２に記載の能動振動ペダル機構。
＜請求項５＞
長尺スロットが、前記ペダルの前記裏面に画定され、前記パワーケーブルが前記ペダルの前記裏面に画定される前記長尺スロット内を延びている、請求項４に記載の能動振動ペダル機構。
＜請求項６＞
更に、前記ペダルが設定モータ作動位置まで回転すると、前記モータを作動させるコンタクタを備える、請求項２に記載の能動振動ペダル機構。
＜請求項７＞
踏板を含むペダルであって、ペダルアームが、前記踏板の下に位置する空洞を画定する裏面を含む、前記ペダルと、
前記ペダルアームの前記空洞内に配置されて取り付けられる振動発生機構と、を備え、該振動発生機構は、電動モータと、該モータに接続される偏心体と、を含み、該偏心体は、前記モータに対して回転して、前記踏板に伝達される振動を発生させるように適合させる、能動振動ペダル機構。
＜請求項８＞
更に、前記ペダルの前記裏面に取り付けられ、かつ前記モータ及び前記偏心体を被覆するカバーを備える、請求項７に記載の能動振動ペダル機構。
＜請求項９＞
更に、ターミナルペアと、複合ターミナルケーブルブラケットと、該ケーブルブラケットから延出する長尺ケーブルと、を含むターミナルケーブル機構を備え、前記ターミナルペアは、前記モータに接続されるように適合させ、前記複合ターミナルケーブルブラケットは、前記ペダルアームの前記空洞内に取り付けられ、そして前記ケーブルは、前記ペダルアームの前記裏面に画定されるスロット内を延びている、請求項７に記載の能動振動ペダル機構。
＜請求項１０＞
ペダルハウジングと、
前記ペダルハウジング内に突出して、前記ペダルハウジングに対して回転することができる第１端部を含むペダルであって、該ペダルが、踏板を含む第２端部と、空洞を前記踏板の下に画定する複数の壁を含む裏面と、を含む、前記ペダルと、
前記踏板の下の前記空洞内に取り付けられ、かつ電動モータと、偏心体と、を含む振動発生機構であって、前記偏心体が、前記モータに接続されて前記モータに対して回転し、かつ前記踏板に伝達される振動を発生させるように適合させる、前記振動発生機構と、
前記モータに接続されるターミナルペアを含むモータターミナルケーブル機構であって、前記ターミナルペアが、前記ペダルの前記裏面に画定される前記空洞内で延在しており、複合ターミナルケーブルブラケットが、前記ペダルの前記裏面に画定される前記空洞内に取り付けられ、長尺ケーブルが、前記複合ターミナルケーブルブラケットから延出して、前記ペダルの前記裏面に画定される長尺スロットの内部に突出する、前記モータターミナルケーブル機構と、
前記ペダルの前記裏面にそれぞれ設けられる前記複数の壁に接続される複数壁を含み、かつ前記電動モータ、前記偏心体、前記ターミナルペア、及び前記複合ターミナルケーブルブラケットを被覆するカバーと、
を備える、能動振動ペダル機構。
＜請求項１１＞
前記複合ターミナルケーブルブラケットはスロットを画定し、前記ペダルは、前記ペダルの前記裏面に画定される前記空洞内に配置される部分壁を含み、該部分壁は、前記複合ターミナルケーブルブラケットの前記スロットの内部に突出して、前記複合ターミナルケーブルブラケットを前記ペダルに取り付ける、請求項１０に記載の能動振動ペダル機構。
＜請求項１２＞
前記カバーの前記複数壁は、前記モータに接触する内部リブを含み、該内部リブは、前記偏心体から発生する振動を前記ペダルに、前記カバーの前記複数壁、及び前記ペダルの前記複数の壁を介して伝達することができるように適合させる、請求項１０に記載の能動振動ペダル機構。
＜請求項１３＞
前記カバーの前記複数壁または前記ペダルの前記複数の壁のうちの一方の壁はタブを含み、前記カバーの前記複数壁または前記ペダルの前記複数の壁のうちの他方の壁は孔を含み、前記タブは、前記孔の内部に突出して、前記カバーを前記ペダルにスナップ嵌合させる、請求項１０に記載の能動振動ペダル機構。
＜請求項１４＞
凹部が、前記ペダルの前記裏面に画定され、前記凹部は、前記長尺スロット内に配置され、前記ケーブルは、前記スロットの前記凹部内に保持される、請求項１０に記載の能動振動ペダル機構。